(57)【要約】【課題】本発明は、端末機器と、この端末機器を用いた情報交換システムとに関するもので、使い勝手を良くすることを目的とする。【解決手段】制御部６（または１３）は、お気に入り組み合わせ登録モード実行時には、第１のＲＦＩＤ情報および第１の映像情報を有する第１の衣料情報と、第２のＲＦＩＤ情報および第２の映像情報を有する第２の衣料情報とを、第１のお気に入り組み合わせとしてメモリ９（または１６）に記憶させる。そして、お気に入り組み合わせ評価モード実行時には、メモリ９（または１６）に記憶させた第１のお気に入り組み合わせに関する情報を、データ通信部５（または１２）を介してデータセンターの通信システム３に送信し、通信システム３から送信された評価情報を、表示部７（または１４）に表示させる構成とした。【選択図】図１
2019174998.tif 000002
【特許請求の範囲】
【請求項１】
データ通信部と、前記データ通信部に接続された制御部と、前記制御部に接続された表示部および第１のメモリとを備え、
前記制御部は、少なくとも、お気に入り組み合わせ登録モードと、お気に入り組み合わせ評価モードとを実行できる構成とし、前記お気に入り組み合わせ登録モードでは、第１のＲＦＩＤ情報および第１の映像情報を有する第１の衣料情報と、第２のＲＦＩＤ情報および第２の映像情報を有する第２の衣料情報とを、第１のお気に入り組み合わせとして前記第１のメモリに記憶させ、前記お気に入り組み合わせ評価モードでは、前記第１のメモリに記憶させた前記第１のお気に入り組み合わせに関する情報を、前記データ通信部を介してデータセンターの通信システムに送信し、前記通信システムから送信された、前記第１のお気に入り組み合わせに対する評価情報を、前記表示部に表示させる構成とした端末機器。
【請求項２】
前記制御部に接続されたＲＦ通信部およびカメラを更に備え、
前記ＲＦ通信部は、前記第１のＲＦＩＤ情報と、前記第２のＲＦＩＤ情報との少なくとも一方を取得する構成とし、
前記カメラは、前記第１の映像情報と、前記第２の映像情報との少なくとも一方を取得する構成とした請求項１に記載の端末機器。
【請求項３】
前記制御部は、前記第１の映像情報、前記第２の映像情報および前記第１のお気に入り組み合わせの少なくとも一つを、前記表示部に表示させる構成とした請求項１、または２に記載の端末機器。
【請求項４】
前記制御部は、前記お気に入り組み合わせ評価モード実行により、前記第１のお気に入り組み合わせに対応する、前記端末機器とは別の端末機器の使用者の第２のお気に入り組み合わせの前記第１の映像情報および前記第２の映像情報を、前記表示部に表示させる構成とした請求項１から３のいずれか一つに記載の端末機器。
【請求項５】
前記制御部に接続された操作部を更に備え、
前記制御部は、前記操作部により入力された、前記端末機器の使用者の前記第１のお気に入り組み合わせに対する評価と、前記表示部に表示された前記第２のお気に入り組み合わせに対する評価とを、前記データ通信部を介して前記データセンターの前記通信システムに送信する構成とした請求項４に記載の端末機器。
【請求項６】
請求項１から５のいずれか一つに記載の端末機器を複数備え、
前記複数の端末機器と通信される前記データセンターの前記通信システムを更に備え、
前記通信システムは、第２の制御部と、第２のメモリと、第２のデータ通信部と、を有し、
前記第２の制御部は、前記複数の端末機器から送信される前記第１のお気に入り組み合わせに関する情報と、前記第１のお気に入り組み合わせに対応する、前記複数の端末機器のうち前記第１のお気に入り組み合わせを送信した端末機器とは別の端末機器の使用者の第２のお気に入り組み合わせに関する情報と、前記第１のお気に入り組み合わせに対する評価と、前記第２のお気に入り組み合わせに対する評価とを前記第２のメモリに記憶させ、前記評価を集計して前記評価情報を生成し、前記第２のデータ通信部を介して、前記評価情報を前記複数の端末機器に送信する構成とした情報交換システム。
【請求項７】
前記複数の端末機器は、個人端末機器と、業者端末機器とを含む請求項６に記載の情報交換システム。
【請求項８】
前記データセンターの前記通信システムの前記第２の制御部は、前記第１のお気に入り組み合わせに対する前記評価が、前記第２のお気に入り組み合わせに対する前記評価よりも高い場合、前記第１のお気に入り組み合わせを登録した前記個人端末機器に、特典情報を発信する構成とした請求項７に記載の情報交換システム。
【発明の詳細な説明】
【技術分野】
【０００１】
本発明は、携帯電話などの端末機器と、この端末機器を用いた情報交換システムとに関するものである。
【背景技術】
【０００２】
ＲＦＩＤタグをつけることで在庫管理を行うことは広く知られているが、このＲＦＩＤタグを衣料につけることで、衣料のトータルコーディネートを行うシステムが提案されている。
【０００３】
例えば、衣料を販売する店では、試着室において一つの衣料を試着すると、その衣料につけられているＲＦＩＤタグが読み取られ、その衣料に似合う他の衣料を、試着室の表示部において提案するような構成となっている（これに類似する技術は、例えば、下記特許文献１に記載されている）。
【０００４】
また、自宅のクローゼットにおいて内に存在する衣料の種類を、その衣料につけられたＲＦＩＤタグで読み取り、その日に着ていく衣料の組み合わせを、クローゼット内の表示部によって提案するようなものもある（これに類似する技術は、例えば、下記特許文献２に記載されている）。
【先行技術文献】
【特許文献】
【０００５】
【特許文献１】特開２００５−１８９９１８号公報
【特許文献２】特開２００６−３３１１２９号公報
【発明の概要】
【発明が解決しようとする課題】
【０００６】
上記従来例では、店や、自宅において、一つの衣料に似合う他の衣料を表示部において提案してくれるので、衣料の購入や、その日に着ていく衣料選びが行いやすく、使い勝手の良いものとなる。
【０００７】
しかしながら、上記のようなシステムでは、使用者は、自分が所有する衣料の組み合わせを他人がどのように評価するのか、または、他人ならどのような組み合わせをするのかを知ることができず、不安が生まれ、上記のようなシステムのさらなる使い勝手の良さが求められている。
【０００８】
そこで、本発明は、使い勝手を良くする事を目的とする。
【課題を解決するための手段】
【０００９】
そして、この目的を達成するために本発明の一態様では、使用者が保持する端末機器を、データ通信部と、前記データ通信部に接続された制御部と、前記制御部に接続された表示部および第１のメモリとを備え、前記制御部は、少なくとも、お気に入り組み合わせ登録モードと、お気に入り組み合わせ評価モードとを実行できる構成とし、前記お気に入り組み合わせ登録モードでは、第１のＲＦＩＤ情報および第１の映像情報を有する第１の衣料情報と、第２のＲＦＩＤ情報および第２の映像情報を有する第２の衣料情報とを、第１のお気に入り組み合わせとして前記第１のメモリに記憶させ、前記お気に入り組み合わせ評価モードでは、前記第１のメモリに記憶させた前記第１のお気に入り組み合わせに関する情報を、前記データ通信部を介してデータセンターの通信システムに送信し、前記データセンターの前記通信システムから送信された、前記第１のお気に入り組み合わせに対する評価情報を、前記表示部に表示させる構成とした。
【００１０】
また、本発明の一態様に係る情報交換システムは、前記端末機器を複数備え、前記複数の端末機器と通信される前記データセンターの前記通信システムを更に備え、前記通信システムは、第２の制御部と、第２のメモリと、第２のデータ通信部と、を有し、前記第２の制御部は、前記複数の端末機器から送信される前記第１のお気に入り組み合わせに関する情報と、前記第１のお気に入り組み合わせに対応する、前記複数の端末機器のうち前記第１のお気に入り組み合わせを送信した前記端末機器とは別の端末機器の使用者の第２のお気に入り組み合わせに関する情報と、前記第１のお気に入り組み合わせに対する評価と、前記第２のお気に入り組み合わせに対する評価とを前記第２のメモリに記憶させ、前記評価を集計して前記評価情報を生成し、前記第２のデータ通信部を介して、前記評価情報を前記複数の端末機器に送信する構成とした。
【発明の効果】
【００１１】
本発明の一態様に係る端末機器および情報交換システムによれば、使い勝手が良くなる。
【図面の簡単な説明】
【００１２】
【図１】本発明の一実施形態にかかる端末機器と、この端末機器を用いた情報交換システムを示すブロック図
【図２】同端末機器の表示部を示す図
【図３】同端末機器の表示部を示す図
【図４】同端末機器の表示部を示す図
【図５】同端末機器の表示部を示す図
【図６】同端末機器の表示部を示す図
【図７】同端末機器の表示部を示す図
【図８】同端末機器の表示部を示す図
【図９】同端末機器の表示部を示す図
【図１０】同端末機器の表示部を示す図
【図１１】同端末機器の表示部を示す図
【図１２】同端末機器の表示部を示す図
【図１３】同端末機器の表示部を示す図
【図１４】同端末機器の表示部を示す図
【図１５】同端末機器の表示部を示す図
【図１６】同端末機器の表示部を示す図
【図１７】同端末機器の表示部を示す図
【図１８】同端末機器の表示部を示す図
【図１９】同端末機器の表示部を示す図
【図２０】同端末機器の表示部を示す図
【図２１】同端末機器の表示部を示す図
【図２２】同端末機器の表示部を示す図
【図２３】同端末機器の表示部を示す図
【図２４】同端末機器の表示部を示す図
【図２５】同端末機器の表示部を示す図
【図２６】同端末機器と、この端末機器を用いた情報交換システムの動作を示すフローチャート
【図２７】同フローチャート
【図２８】同フローチャート
【図２９】同フローチャート
【図３０】同フローチャート
【図３１】同フローチャート
【図３２】同フローチャート
【図３３】同フローチャート
【図３４】同フローチャート
【発明を実施するための形態】
【００１３】
以下、本発明の一実施形態を、添付図面を用いて説明する。
（実施の形態１）
図１において、１は、携帯電話のような個人端末機器、２は、衣料分野の業者が所有する業者端末機器、３は、これらの個人端末機器１、業者端末機器２と通信を行う通信システムである。通信システム３は、データセンターに設置されている。なお、これらの個人端末機器１、業者端末機器２、通信システム３には、当然のこととして電源（図示せず）が設けられているが、このことは、広く公知のことであるし、図面の煩雑化を避けるために、この図１には、電源は記載していない。
【００１４】
また、４は、衣料に、購入時から装着されていたり、あるいは後で衣料に装着されたりするＲＦＩＤタグである。
【００１５】
情報交換システム１００は、個人端末機器１と業者端末機器２とをそれぞれ複数備え、さらに、データセンターの通信システム３を備えている。
【００１６】
個人端末機器１は、データ通信部５と、このデータ通信部５に接続された制御部６と、この制御部６に接続された表示部７、操作部８、メモリ９、カメラ１０およびＲＦ通信部１１とを備えた構成となっている。操作部８は、現在実用化されている携帯電話と同じように表示部７（例えば、タッチパネルディスプレイ）によって代用されている。
【００１７】
次に、業者端末機器２は、データ通信部１２と、このデータ通信部１２に接続された制御部１３と、この制御部１３に接続された表示部１４、操作部１５、メモリ１６、カメラ１７およびＲＦ通信部１８とを備えた構成となっている。操作部１５は、現在実用化されている携帯電話と同じように表示部１４（例えば、タッチパネルディスプレイ）によって代用されている。
【００１８】
次に、データセンターの通信システム３は、個人端末機器１のデータ通信部５および業者端末機器２のデータ通信部１２とデータ通信を行うためのデータ通信部１９と、このデータ通信部１９に接続された制御部２０と、この制御部２０に接続された表示部２１、操作部２２およびメモリ２３とを備えた構成となっている。操作部２２は、現在実用化されている表示部２１（例えば、タッチパネルディスプレイ）によって代用されている。
【００１９】
次に、ＲＦＩＤタグ４は、通信部２４と、この通信部２４に接続された制御部２５と、この制御部２５に接続されたメモリ２６とを備えた構成となっており、ＲＦＩＤ情報（ＲＦＩＤタグ４の識別情報）は、メモリ２６に記録されている。
【００２０】
本実施形態では、個人端末機器１の使用者は、使用者個人が所有する第１番目の衣料（例えば上着）、第２番目の衣料（例えばズボン）および第３番目の衣料（例えばスカート）についての使用者のお気に入りの組み合わせ（お気に入り組み合わせ）を、個人端末機器１を用いて登録し、それをデータセンターの通信システム３に送信することで、使用者のお気に入り組み合わせに対する他人の評価がどのようなものであるか、あるいは、他人は、第１番目の衣料（例えば上着）に対してどのような組み合わせをしているのかを知ることができる。第１番目の衣料、第２番目の衣料および第３番目の衣料はそれぞれ、衣料の種類を表し、互いに種類が異なる。
【００２１】
使用者は、このような評価や、他人の好みを、例えば、電車内で個人端末機器１を用いて知ることもでき、個人端末機器１は極めて使い勝手の良いものとなる。
【００２２】
本開示における個人端末機器１、業者端末機器２、ＲＦＩＤタグ４、データセンターの通信システム３および情報交換システム１００は、コンピュータシステムを含んでいる。コンピュータシステムは、１または複数のコンピュータを有している。データセンターの通信システム３は、例えば、サーバを有している。コンピュータシステムは、ハードウェアとしてのプロセッサおよびメモリを主構成とする。コンピュータシステムのメモリに記録されたプログラムをプロセッサが実行することによって、本開示における個人端末機器１、業者端末機器２、ＲＦＩＤタグ４、データセンターの通信システム３および情報交換システム１００としての機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ（磁気ディスク）等の非一時的記録媒体に記録されて提供されてもよい。コンピュータシステムのプロセッサは、半導体集積回路（ＩＣ）または大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００２３】
この図１に示す情報交換システム１００を活用するためには、個人、業者とも、先ずは、データセンターの通信システム３に対する会員登録をすることになる。
【００２４】
すなわち、個人は個人端末機器１を用いて、また業者は業者端末機器２を用いて、データセンターの通信システム３への登録処理を行う。
【００２５】
図３２は、データセンターの通信システム３の登録フローを示す。
【００２６】
先ず、データセンターの通信システム３は、個人端末機器１又は業者端末機器２から送信される登録要求信号の入力を受けつける。登録要求信号には、送信元の端末機器の識別情報が含まれる。データセンターの通信システム３は、登録要求信号に含まれる識別情報に基づいて、登録要求信号の送信元の端末機器が個人端末機器１か否かを判定する（図３２のＳ１）。登録要求信号の送信元の端末機器が個人端末機器１であれば、データセンターの通信システム３は、個人端末機器１の識別情報をメモリ２３に記憶することで、個人会員登録を行い（図３２のＳ２）、次に、個人会員に登録完了連絡を、データ通信部１９を介して行い（図３２のＳ３）、終了となる（図３２のＳ４）。
【００２７】
なお、個人会員登録では、登録要求信号には、個人会員の電話番号およびメールアドレスも含まれ、その情報も、メモリ２３に記憶される。また、個人会員登録が完了すると、上記、個人会員への登録完了連絡時に、システム起動用のアイコンが、データ通信部１９を介して個人端末機器１へ送信され（図３２のＳ３）、そのアイコンは、個人端末機器１のメモリ９に記憶され、常時、図２のように表示部７に、アイコン２７として表示されるようになっている。
【００２８】
また、登録要求信号の送信元が業者端末機器２であれば、データセンターの通信システム３は、業者端末機器２の識別情報をメモリ２３に記憶することで、業者会員登録を行い（図３２のＳ１、Ｓ５、Ｓ６）、次に、業者会員に登録完了連絡を、データ通信部１９を介して行い（図３２のＳ７）、終了となる（図３２のＳ８）。
【００２９】
なお、業者会員登録では、登録要求信号には、業者会員の電話番号、メールアドレスおよびクレジット情報も含まれ、その情報も、メモリ２３に記憶される。また、業者会員登録が完了すると、上記、業者会員への登録完了連絡時に、システム起動用のアイコンが、データ通信部１９を介して業者端末機器２へ送信され（図３２のＳ７）、そのアイコンは、業者端末機器２のメモリ１６に記憶され、常時、表示部１４に表示されるようになっている。
【００３０】
個人が、自分のお気に入り組み合わせを登録する場合には、個人端末機器１の表示部７に表示されたアイコン２７をクリックする（図２６のＳ１）。
【００３１】
すると、表示部７には図３のように、登録モードキー２８、探索モードキー２９および検索モードキー３０がメニュー画面として表示される（図２６のＳ２）。制御部６は、表示部７の登録モードキー２８が操作されるとお気に入り組み合わせ登録モードを実行し、探索モードキー２９が操作されると探索モードを実行し、検索モードキー３０が操作されるとお気に入り組み合わせ評価モードを実行する。
【００３２】
使用者が、登録モードキー２８を操作すると（図２６のＳ３）、図４のようにＲＦＩＤ読み込みキー３１が表示される（図２６のＳ４）。
【００３３】
使用者は、登録しようとする第１番目の衣料（例えば上着）にあらかじめついている、あるいはこれにつけようとするＲＦＩＤタグ４を手元に準備し、次に、図４のＲＦＩＤ読み込みキー３１を操作する（図２６のＳ５）。
【００３４】
すると、ＲＦ通信部１１によってＲＦＩＤタグ４のＲＦＩＤ情報が読み取られ、メモリ９に登録され、図５のように表示部７には読み取り完了キー３２が表示される（図２６のＳ６、Ｓ７）。
【００３５】
使用者は、ＲＦＩＤ情報の読み取りが完了したので、図５の読み取り完了キー３２を操作する（図２６のＳ８）。
【００３６】
すると、表示部７には、図６のごとく、写真撮影キー３３が表示される（図２７のＳ１）。使用者は、写真撮影キー３３を操作することにより、カメラ１０で第１の衣料（例えば上着）を撮影する。
【００３７】
使用者が写真撮影キー３３を操作すると、表示部７には図７のように撮影終了キー３４と、撮影写真と、登録されたＲＦＩＤ情報が表示される（図２７のＳ２、Ｓ３）。
【００３８】
この表示を確認して使用者は、撮影終了キー３４を操作すると、表示部７には、図８のように入力欄が表示される（図２７のＳ４、Ｓ５）。
【００３９】
この図８においては、入力欄キー３５で、撮影した第１番目の衣料（例えば上着）の種類（例えば、上着、ズボン、スカートなど）、色、使用季節などが入力される。
【００４０】
そして、この入力が完了すると、入力完了キー３６を操作することになる（図２７のＳ６）。
【００４１】
先ずは、一つの入力が完了しただけなので、入力完了キー３６を操作すれば、終了となる（図２７のＳ７、Ｓ８、Ｓ９）。
【００４２】
また、後日、第２番目の衣料（例えばズボン）または第３番目の衣料（例えばスカート）を上述の手順で入力した後には、図８のお気に入り登録キー３７が操作されることもある（図２７のＳ７）。
【００４３】
つまり、第１番目の衣料（例えば上着）に対して、第２番目の衣料（例えばズボン）、あるいは第３番目の衣料（例えばスカート）のいずれかをお気に入り組み合わせとして登録するのである。お気に入り組み合わせは、個人端末機器１のメモリ９に記憶される。より詳細には、各衣料の写真（映像情報）と、その衣料につけられたＲＦＩＤタグ４のＲＦＩＤ情報とが対応付けられてメモリ９に記憶され、お気に入り組み合わせは、第１、第２、第３番目の衣料の各々のＲＦＩＤ情報の組み合わせとしてメモリ９に記憶される。
【００４４】
お気に入り登録キー３７が操作されると、表示部７には図９のように既登録写真キー３８が表示される（図２８のＳ１）。
【００４５】
使用者が既登録写真キー３８を操作すると、今までに登録した衣料の写真が表示されるので、その内から、第１番目の衣料（例えば上着）に対してお気に入りとする第２番目の衣料（例えばズボン）、あるいは第３番目の衣料（例えばスカート）を選択する（図２８のＳ２、Ｓ３、Ｓ４）。
【００４６】
すると、表示部７には、図１０のように、お気に入りとして選択された第１番目の衣料（例えば上着）と第２番目の衣料（例えばズボン）との組み合わせが表示される（図２８のＳ５）。
【００４７】
この組み合わせを確認し、ＯＫキー３９を操作すると、図１１のようにお気に入り順位登録キー４０が表示され、ここでお気に入り順位登録（例えば、赤い上着と、黒のズボンとの組み合わせが一番、また、赤い上着と、黒のスカートとの組み合わせが二番と登録）を行うのである（図２８のＳ６、Ｓ７、Ｓ８）。
【００４８】
すると、図１２のように、設定した順位が表示部７に表示されることになる（図２８のＳ９）。
【００４９】
それを確認し、ＯＫキー４１を操作すれば、お気に入り組み合わせ写真が、データ通信部５を介してデータセンターの通信システム３のメモリ２３に登録され、終了となる（図２８の１０、Ｓ１１、Ｓ１２）。お気に入り組み合わせ写真とは、お気に入り組み合わせに係る２つの衣料のうち一方の衣料（例えば第１番目の衣料）の写真と、他方の衣料（例えば第２番目の衣料）の写真との組である。
【００５０】
次に、個人端末機器１を用いての探索モードについて説明する。
【００５１】
探索モードとは、お気に入りの第１番目の衣料（例えば上着）を室内のどの場所に保管したのかが解らず、それを探す場合に用いるモードである。
【００５２】
この場合も、使用者は、先ず、個人端末機器１の表示部７に表示されたアイコン２７（図２参照）をクリックする（図２６のＳ１）。
【００５３】
すると、表示部７には図３のように、登録モードキー２８、探索モードキー２９および検索モードキー３０がメニュー画面として表示される（図２６のＳ２）。
【００５４】
そこで、今度は、探索モードキー２９を操作すると、表示部７には図１３のごとく、個人端末機器１の使用者自身が登録した衣料の全写真が表示させるための自己所有品写真キー４２が表示されるので、自己所有品写真キー４２を操作し、その内から探そうとする写真を選択する（図２６のＳ９、Ｓ１０、Ｓ１１、Ｓ１３）。
【００５５】
すると、図１４のごとく、表示部７には、探そうとする衣料の写真が選択的に表示されるので（図２６のＳ１４）、次に、図１４において探索開始キー４３を操作する（図２６のＳ１４、Ｓ１５）。
【００５６】
すると、ＲＦ通信部１１によって、探そうとする衣料に装着されたＲＦＩＤタグ４との交信が試みられる。
【００５７】
なお、ＲＦ通信部１１によるＲＦＩＤタグ４との交信距離は短く設定されているので、近傍に、探そうとする衣料があるときにだけ交信が成立する。
【００５８】
交信が成立した場合、つまり探している衣料が近傍にあるときには、表示部７には図１５のごとく、「発見しました」という文字が表示されるので、次には探索終了キー４４が操作され、探索終了となる（図２９のＳ１、Ｓ２、Ｓ３、Ｓ４）。表示部７には、「発見しました」という文字に代えて、○が表示されてもよい。
【００５９】
しかし、その場所で、探している衣料を発見できなかった場合、つまりＲＦ通信部１１とＲＦＩＤタグ４との交信ができなかった場合には、図１６に示すように、「発見できませんでした」という文字と、再探索キー４５と、探索終了キー４６とが表示される（図２９のＳ５）。表示部７には、「発見できませんでした」という文字に代えて、×が表示されてもよい。
【００６０】
使用者は、探索場所を変更し、再探索キー４５を操作し、再探索を行う（図２９のＳ６、Ｓ７）。
【００６１】
また、図１６で、探索終了キー４６を操作すれば、探索は終了となる（図２９のＳ３、Ｓ４）。
【００６２】
次に、お気に入り組み合わせ評価モードの実行について説明する。
【００６３】
つまり、図２６、図２７、図２８を用いて説明した自分が気に入っている組み合わせ（例えば上述の赤の上着に、黒のズボン）を、他人がどのように評価しているか、また、他人はどのような組み合わせをしているかを表示部７で確認することができる。
【００６４】
その結果として、自己の第１、第２の衣料の組み合わせの参考とし、不安の少ない状態で、第１、第２の衣料を着ることができ、使い勝手の良いものとなる。
【００６５】
このときには、使用者は、先ずは、個人端末機器１の表示部７に表示されたアイコン２７（図２参照）をクリックする（図２６のＳ１）。
【００６６】
すると、表示部７には図３のように、登録モードキー２８、探索モードキー２９および検索モードキー３０がメニュー画面として表示される（図２６のＳ２）。
【００６７】
そこで、今回は、検索モードキー３０を操作する（図２６のＳ１６）。
【００６８】
すると、表示部７には、図１７のごとく、登録写真キー４７と、検索開始キー４８とが表示される（図２６のＳ１７）ので、使用者は登録写真キー４７を操作し（図２６のＳ１８）、図２８のＳ６、Ｓ７、Ｓ８で予め登録された複数のお気に入り組み合わせ写真を表示部７に表示させ（図２６のＳ１９）、その内から一つのお気に入り組み合わせ写真を選択する（図２６のＳ２０）。
【００６９】
すると、表示部７には、選択された自分のお気に入り組み合わせ写真が表示されるので（図２６のＳ２１）、この状態で、図１７の検索開始キー４８を操作する（図２６のＳ２２）。
この操作を行うと、データ通信部５とデータセンターの通信システム３との交信が始まる。制御部６は、選択された自分のお気に入り組み合わせ写真をデータ通信部５を介してデータセンターの通信システム３に送信することで、通信システム３に検索要請を行う。
【００７０】
つまり、データセンターの通信システム３のメモリ２３には、たくさんの個人から、各人のお気に入り組み合わせ写真が登録されているので、データセンターの通信システム３としては、上記検索要請に対応して、上記検索要請のあった個人（検索者）のお気に入り組み合わせ写真と類似しているお気に入り組み合わせ写真を、検索者に返信する。
【００７１】
ここで、類似とは、例えば今回は赤の上着に、黒のズボンという組み合わせであったので、キーワードとして、赤の上着および黒のズボンを持っているお気に入り組み合わせ写真が類似とされ、そのお気に入り組み合わせ写真が、検索者に送信される。
【００７２】
これにより、検索者の個人端末機器１の表示部７には、図１８のように複数のお気に入り組み合わせ写真４９が表示される（図３０のＳ１）。
【００７３】
あとで、詳細に説明するが、表示される他人のお気に入り組み合わせ写真は、評価が高いものから順番に表示されているので、検索者は、その内から一つのお気に入り組み合わせ写真を選択する（図３０のＳ２）。
【００７４】
すると、図１９に示すように、表示部７には選択されたお気に入り組み合わせ写真４９と、私の勝ちキー５０と、私の負けキー５１とが表示される。ここで、使用者は、選択したお気に入り組み合わせ写真４９に対して、自分のお気に入り組み合わせ写真が勝ったのか、負けたのか（選択したお気に入り組み合わせ写真４９がすばらしいと評価した場合）を入力することになる（図３０のＳ３）。
【００７５】
すると、表示部７には、図２０のごとく、次の候補キー５２と、検索終了キー５３とが表示されるので、次の候補キー５２を操作すれば、再び、図３０のＳ１へと戻り、図２１のように複数のお気に入り組み合わせ写真４９が表示される。使用者は、図２２に示す私の勝ちキー５０と私の負けキー５１とで、他のお気に入り組み合わせ写真に対する評価を入力する。その後、図２３のように次の候補キー５２と検索終了キー５３とが表示される（図３０のＳ４）。
【００７６】
また、図２０の検索終了キー５３を操作すれば、検索終了となる（図３０のＳ５、Ｓ６）。
【００７７】
制御部６は、お気に入り組み合わせ写真に対する評価が表示部７により入力されると、評価をデータ通信部５を介してデータセンターの通信システム３に送信する。
【００７８】
次に、業者端末機器２の動作について、説明する。
【００７９】
基本的には、個人端末機器１と同じ操作および動作が行われるのであるが、業者端末機器２は、個人端末機器１とは異なり、データセンターの通信システム３に登録することで課金が発生するので、図２４の業者登録モードを通じて登録を行う。
【００８０】
つまり、業者は、自分の販売しようとする衣料の組み合わせに対して、情報交換システム１００を活用する人がどのような評価をするのかが非常に気になるところであり、今後の販売戦略を立てるためにも、データセンターの通信システム３に登録して情報交換システム１００を活用することは極めて有用なこととなる。
【００８１】
また、業者がデータセンターの通信システム３に登録した衣料の組み合わせをみた個人が業者から衣料を購入することも期待できるので、業者端末機器２を使用する業者は、毎月の会費の支払いが必要となる。
【００８２】
そこで、業者は、業者端末機器２を操作して、図２４のように業者登録画面を開き、業者登録モードキー５４を操作する（図３１のＳ１、Ｓ２）。
【００８３】
業者会員登録では、会社名、住所、連絡先、担当者名および料金引落口座番号などの情報を業者端末機器２に入力する（図３１のＳ３）。
【００８４】
その後、業者端末機器２がデータ通信部１２を通じてデータセンターの通信システム３と交信し、上記の情報がメモリ２３に登録される。
【００８５】
データセンターの通信システム３への登録が完了すると、データ通信部１９を介して登録完了が連絡され、これにより、業者端末機器２の表示部１４には、図２５のように、入力完了キー５６が表示されるので、入力完了キー５６の操作により交信が終了となる（図３１のＳ４、Ｓ５、Ｓ６、Ｓ７）。
【００８６】
そして、この登録により、業者端末機器２の表示部１４には、業者端末機器２の利用を開始するためのアイコンが表示される。
【００８７】
図３３は、データセンターの通信システム３側の動作フローを示している。
【００８８】
データセンターの通信システム３は、個人端末機器１や業者端末機器２から、お気に入り組み合わせ写真が入力されると、それをメモリ２３に順次登録し、毎回、この処理は、それで完了となる（図３３のＳ１、Ｓ２、Ｓ３）。
【００８９】
これに対して、個人端末機器１や業者端末機器２から、登録したお気に入り組み合わせ写真に対する検索要請が来ると、先ずは、検索対象品（例えば、赤の上着に、黒のズボン）を抽出し、検索要請を行った端末機器へ、データ通信部１９を介して高評価のお気に入り組み合わせ写真から出力する（図３３のＳ４、Ｓ５、Ｓ６）。
【００９０】
また、お気に入り組み合わせ写真の出力に応じて、個人端末機器１や業者端末機器２から新たに評価が有れば、その評価をメモリ２３に登録し、終了となる（図３３のＳ７、Ｓ８、Ｓ９）。
【００９１】
データセンターの通信システム３側では、月末になると図３４の動作が実行される。
【００９２】
すなわち、データセンターの通信システム３の制御部２０は、各お気に入り組み合わせ写真に対する評価を常時集計し（図３４のＳ１）、集計後の情報（評価情報）を生成する。制御部２０は、データ通信部１９を介して、個人端末機器１および業者端末機器２に、その端末機器が登録（出展）したお気に入り組み合わせ写真に対する評価情報を送信する（図３４のＳ２、Ｓ３）。
【００９３】
つまり、自分が登録（出展）したお気に入り組み合わせ写真に対して、他人が優れていると評価した（他人が図１９の私の負けキーを操作した）数が評価点となるので、この評価点が高ければ、自分の組み合わせに対するセンスに自信を持っても良いということになる。
【００９４】
月末になると、個人および業者の評価を確定し、評価情報を個人端末機器１の表示部７および業者端末機器２の表示部１４に表示する。また、月末になると、業者端末機器２を使用している業者から会費が徴収される。会費の請求内容は、業者端末機器２の表示部１４に表示される（図３４のＳ４、Ｓ５）。
【００９５】
また、個人に対しては、例えば上位１０人にだけは、上位１０人に選ばれるほどの高い評価点であったこと、および、抽選で、特典情報として景品（例えばドライヤー）が当たる可能性を連絡する。
【００９６】
そして、その後、抽選結果を報告し、終了となる（図３４のＳ６、Ｓ７、Ｓ８）。
【００９７】
なお、上記実施形態では、個人端末機器１内に、ＲＦ通信部１１を設けてＲＦＩＤタグ４との交信をさせたが、ＲＦ通信部１１は、別途、ＲＦリーダーまたはＲＦライター（図示せず）内に設けてもよい。ただし、その場合は、個人端末機器１とＲＦリーダーまたはＲＦライターとの交信手段を別途設ける必要がある。
【００９８】
以上説明したように、第１の態様に係る端末機器（個人端末機器１または業者端末機器２）は、データ通信部５（または１２）と、制御部６（または１３）と、表示部７（または１４）と、第１のメモリ（メモリ９または１６）とを備える。制御部６（または１３）は、データ通信部５（または１２）に接続されている。表示部７（または１４）および第１のメモリは、制御部６（または１３）に接続されている。制御部６（または１３）は、少なくとも、お気に入り組み合わせ登録モードと、お気に入り組み合わせ評価モードとを実行できる構成である。制御部６（または１３）は、お気に入り組み合わせ登録モードでは、第１のＲＦＩＤ情報および第１の映像情報（例えば、第１の衣料の写真）を有する第１の衣料情報と、第２のＲＦＩＤ情報および第２の映像情報（例えば、第２の衣料の写真）を有する第２の衣料情報とを、第１のお気に入り組み合わせとして第１のメモリに記憶させる。制御部６（または１３）は、お気に入り組み合わせ評価モードでは、第１のメモリに記憶させた第１のお気に入り組み合わせに関する情報を、データ通信部５（または１２）を介してデータセンターの通信システム３に送信し、通信システム３から送信された、第１のお気に入り組み合わせに対する評価情報を、表示部７（または１４）に表示させる。
【００９９】
第２の態様に係る端末機器（個人端末機器１または業者端末機器２）は、第１の態様において、ＲＦ通信部１１（または１８）およびカメラ１０（または１７）を更に備える。ＲＦ通信部１１（または１８）およびカメラ１０（または１７）は、制御部６（または１３）に接続されている。ＲＦ通信部１１（または１８）は、第１のＲＦＩＤ情報と、第２のＲＦＩＤ情報との少なくとも一方を取得する。カメラ１０（または１７）は、第１の映像情報（例えば、第１の衣料の写真）と、第２の映像情報（例えば、第２の衣料の写真）との少なくとも一方を取得する。
【０１００】
第３の態様に係る端末機器（個人端末機器１または業者端末機器２）では、第１または２の態様において、制御部６（または１３）は、第１の映像情報（例えば、第１の衣料の写真）、第２の映像情報（例えば、第２の衣料の写真）および第１のお気に入り組み合わせの少なくとも一つを、表示部７（または１４）に表示させる。
【０１０１】
第４の態様に係る端末機器（個人端末機器１または業者端末機器２）では、第１から３のいずれか一つの態様において、制御部６（または１３）は、お気に入り組み合わせ評価モード実行により、第１のお気に入り組み合わせに対応する、端末機器とは別の端末機器の使用者の第２のお気に入り組み合わせの第１の映像情報（例えば、第１の衣料の写真）および第２の映像情報（例えば、第２の衣料の写真）を、表示部７（または１４）に表示させる。
【０１０２】
第５の態様に係る端末機器（個人端末機器１または業者端末機器２）は、第４の態様において、操作部８（または１５）を更に備える。操作部８（または１５）は、制御部６（または１３）に接続されている。制御部６（または１３）は、操作部８（または１５）により入力された、端末機器の使用者の第１のお気に入り組み合わせに対する評価と、表示部７（または１４）に表示された第２のお気に入り組み合わせに対する評価とを、データ通信部５（または１２）を介してデータセンターの通信システム３に送信する。
【０１０３】
第１の態様以外の構成は、個人端末機器１および業者端末機器２に必須の構成ではなく、適宜省略可能である。
【０１０４】
第６の態様に係る情報交換システム１００は、第１から５の態様のいずれか一つに係る端末機器（個人端末機器１または業者端末機器２）を複数備え、データセンターの通信システム３を更に備える。通信システム３は、複数の端末機器と通信される。通信システム３は、第２の制御部（制御部２０）と、第２のメモリ（メモリ２３）と、第２のデータ通信部（データ通信部１９）と、を有する。第２の制御部は、複数の端末機器から送信される第１のお気に入り組み合わせに関する情報と、複数の端末機器のうち第１のお気に入り組み合わせを送信した端末機器とは別の端末機器の使用者の第２のお気に入り組み合わせに関する情報と、第１のお気に入り組み合わせに対する評価と、第２のお気に入り組み合わせに対する評価とを第２のメモリに記憶させ、評価を集計して評価情報を生成し、第２のデータ通信部を介して、評価情報を複数の端末機器に送信する。第２のお気に入り組み合わせは、第１のお気に入り組み合わせに対応する。
【０１０５】
第７の態様に係る情報交換システム１００では、第６の態様において、複数の端末機器は、個人端末機器１と、業者端末機器２とを含む。
【０１０６】
第８の態様に係る情報交換システム１００では、第７の態様において、データセンターの通信システム３の第２の制御部（制御部２０）は、第１のお気に入り組み合わせに対する評価が、第２のお気に入り組み合わせに対する評価よりも高い場合、第１のお気に入り組み合わせを登録した個人端末機器１に、特典情報を発信する。
【０１０７】
第６の態様以外の構成は、情報交換システム１００に必須の構成ではなく、適宜省略可能である。
【符号の説明】
【０１０８】
１  個人端末機器
２  業者端末機器
３  データセンターの通信システム
４  ＲＦＩＤタグ
５  データ通信部
６  制御部
７  表示部
８  操作部
９  メモリ
１０  カメラ
１１  ＲＦ通信部
１２  データ通信部
１３  制御部
１４  表示部
１５  操作部
１６  メモリ
１７  カメラ
１８  ＲＦ通信部
１９  データ通信部
２０  制御部
２１  表示部
２２  操作部
２３  メモリ
２４  通信部
２５  制御部
２６  メモリ
２７  アイコン
２８  登録モードキー
２９  探索モードキー
３０  検索モードキー
３１  ＲＦＩＤ読み込みキー
３２  読み取り完了キー
３３  写真撮影キー
３４  撮影終了キー
３５  入力欄キー
３６  入力完了キー
３７  お気に入り登録キー
３８  既登録写真キー
３９  ＯＫキー
４０  お気に入り順位登録キー
４１  ＯＫキー
４２  自己所有品写真キー
４３  探索開始キー
４４  探索終了キー
４５  再探索キー
４６  探索終了キー
４７  登録写真キー
４８  検索開始キー
４９  お気に入り組み合わせ写真
５０  私の勝ちキー
５１  私の負けキー
５２  次の候補キー
５３  検索終了キー
５４  業者登録モードキー
５６  入力完了キー
１００  情報交換システム
【図１】
2019174998.tif 000003
【図２】
2019174998.tif 000004
【図３】
2019174998.tif 000005
【図４】
2019174998.tif 000006
【図５】
2019174998.tif 000007
【図６】
2019174998.tif 000008
【図７】
2019174998.tif 000009
【図８】
2019174998.tif 000010
【図９】
2019174998.tif 000011
【図１０】
2019174998.tif 000012
【図１１】
2019174998.tif 000013
【図１２】
2019174998.tif 000014
【図１３】
2019174998.tif 000015
【図１４】
2019174998.tif 000016
【図１５】
2019174998.tif 000017
【図１６】
2019174998.tif 000018
【図１７】
2019174998.tif 000019
【図１８】
2019174998.tif 000020
【図１９】
2019174998.tif 000021
【図２０】
2019174998.tif 000022
【図２１】
2019174998.tif 000023
【図２２】
2019174998.tif 000024
【図２３】
2019174998.tif 000025
【図２４】
2019174998.tif 000026
【図２５】
2019174998.tif 000027
【図２６】
2019174998.tif 000028
【図２７】
2019174998.tif 000029
【図２８】
2019174998.tif 000030
【図２９】
2019174998.tif 000031
【図３０】
2019174998.tif 000032
【図３１】
2019174998.tif 000033
【図３２】
2019174998.tif 000034
【図３３】
2019174998.tif 000035
【図３４】
2019174998.tif 000036